(57)【要約】【課題】清掃体の移動量を確保して十分な清掃を行うことができ、しかも送り移動される清掃体をスムーズに供給できる光コネクタ清掃工具の提供。【解決手段】工具本体１０と延出部２０とを備えた光コネクタ清掃工具１。延出部２０は、延出筒体２１とヘッド部材２３とを有する。工具本体１０には、支持体５１と、回転シャフト５２とを備えた回転機構が組み込まれている。回転シャフト５２は、支持体５１の挿入凸部５４が挿入されるカム溝８５を有する回転筒部８２と、先端にヘッド部材２３が装着されるガイド筒部８１とを有する。回転筒部８２は、ケース本体１１を支持体５１とともに延出方向に移動させたときに、カム溝８５に沿う移動によりヘッド部材２３を軸回りに回転させる。カム溝８５の一端側部分８６は回転筒部８２を一方向に回転させるように形成され、他端側部分８７は回転筒部８２を前記一方向とは異なる方向に回転させるように形成される。【選択図】図１１
2011150083.tif 000002
【特許請求の範囲】
【請求項１】
光コネクタ（６０）の接合端面（６１ａ）を、送り移動される清掃体（２）により拭き取り清掃する光コネクタ清掃工具であって、
前記清掃体の供給および引取りを行う送り機構（３）が組み込まれたケース体（１１）を有する工具本体（１０）と、前記工具本体から延出する延出部（２０）とを備え、
前記延出部は、延出筒体（２１）と、前記延出筒体の先端から突出して前記清掃体を前記接合端面に押し当てるヘッド部材（２３）とを有し、
前記工具本体に、前記ヘッド部材を軸回りに回転させる回転機構（５）が組み込まれ、
前記回転機構は、前記ケース体に対し位置決めされた支持体（５１）と、前記ヘッド部材が装着される回転シャフト（５２）とを備え、
前記回転シャフトは、前記支持体の挿入凸部（５４）が挿入されるカム溝（８５）を有する回転筒部（８２）と、前記回転筒部から前記延出方向に延びてその先端に前記ヘッド部材が装着されるガイド筒部（８１）とを有し、
前記回転筒部は、前記ケース本体を前記支持体とともに前記延出部に対し前記延出方向に移動させたときに、前記カム溝に沿う移動により回転して前記ヘッド部材を軸回りに回転させるように形成され、
前記カム溝の一部（８６）は、前記回転筒部を一方向に回転させるように形成され、他の部分のうち少なくとも一部（８７）は、前記回転筒部を前記一方向とは異なる方向に回転させるように形成されていることを特徴とする光コネクタ清掃工具。
【請求項２】
前記カム溝は、前記回転筒部の軸方向の一端部を含む部分が、前記回転筒部を一方向に回転させるように形成され、
それ以外の部分が、前記回転筒部を前記一方向とは異なる方向に回転させるように形成されていることを特徴とする請求項１に記載の光コネクタ清掃工具。
【請求項３】
前記回転筒部を一方向に回転させる部分のカム溝は、この方向の螺旋状に形成され、
前記回転筒部を前記一方向とは異なる方向に回転させる部分のカム溝は、この方向の螺旋状に形成されていることを特徴とする請求項１または２に記載の光コネクタ清掃工具。
【請求項４】
前記回転筒部を一方向に回転させる部分のカム溝と、前記回転筒部を前記一方向とは異なる方向に回転させる部分のカム溝は、軸周りの形成角度が３６０°未満であることを特徴とする請求項１〜３のうちいずれか１項に記載の光コネクタ清掃工具。
【請求項５】
前記延出筒体が、筒体基部（１５）と、前記筒体基部に対し付勢手段（１７）により延出方向に付勢された先端筒部（１６）とを有し、
前記先端延出部が、前記先端筒部の先端から突出可能であり、
前記先端筒部が、前記筒体基部に対し前記延出方向に移動することで前記先端延出部の突出量を調整可能であることを特徴とする請求項１〜４のうちいずれか１項に記載の光コネクタ清掃工具。
【発明の詳細な説明】
【技術分野】
【０００１】
本発明は、光コネクタの接合端面を、布などの清掃体によって清掃する光コネクタ清掃工具に関する。
【背景技術】
【０００２】
光コネクタを接続する際には、接合端面に汚れや異物が付着していると、着脱時の損傷や伝送損失の増大などの原因になるため、突き合わせ接続に先だって、接合端面を清掃する必要がある。
光コネクタの接合端面の清掃には、接合端面に布などの清掃体を接触させて汚れ等を拭き取る光コネクタ清掃工具が用いられる。
光コネクタ清掃工具としては、清掃体を移動させつつ光コネクタの接合端面に接触させる方式のものがある（例えば、特許文献１参照）。
【先行技術文献】
【特許文献】
【０００３】
【特許文献１】特開２００５−２１５０４５号公報
【発明の概要】
【発明が解決しようとする課題】
【０００４】
従来の光コネクタ清掃工具では、清掃体の移動量が少なくなることにより、光コネクタの接合端面の清掃が不十分となるおそれがあった。
また、光コネクタ清掃工具では、送り移動される清掃体が絡まることなくスムーズに供給されることが要望されている。
本発明は、前記事情に鑑みてなされたもので、清掃体の移動量を確保して十分な清掃を行うことができ、しかも送り移動される清掃体をスムーズに供給できる光コネクタ清掃工具の提供を目的としている。
【課題を解決するための手段】
【０００５】
本発明の請求項１にかかる発明は、光コネクタの接合端面を、送り移動される清掃体により拭き取り清掃する光コネクタ清掃工具であって、前記清掃体の供給および引取りを行う送り機構が組み込まれたケース体を有する工具本体と、前記工具本体から延出する延出部とを備え、前記延出部は、延出筒体と、前記延出筒体の先端から突出して前記清掃体を前記接合端面に押し当てるヘッド部材とを有し、前記工具本体に、前記ヘッド部材を軸回りに回転させる回転機構が組み込まれ、前記回転機構は、前記ケース体に対し位置決めされた支持体と、前記ヘッド部材が装着される回転シャフトとを備え、前記回転シャフトは、前記支持体の挿入凸部が挿入されるカム溝を有する回転筒部と、前記回転筒部から前記延出方向に延びてその先端に前記ヘッド部材が装着されるガイド筒部とを有し、前記回転筒部は、前記ケース本体を前記支持体とともに前記延出部に対し前記延出方向に移動させたときに、前記カム溝に沿う移動により回転して前記ヘッド部材を軸回りに回転させるように形成され、前記カム溝の一部は、前記回転筒部を一方向に回転させるように形成され、他の部分のうち少なくとも一部は、前記回転筒部を前記一方向とは異なる方向に回転させるように形成されている光コネクタ清掃工具である。
本発明の請求項２にかかる発明は、請求項１において、前記カム溝は、前記回転筒部の軸方向の一端部を含む部分が、前記回転筒部を一方向に回転させるように形成され、それ以外の部分が、前記回転筒部を前記一方向とは異なる方向に回転させるように形成されている光コネクタ清掃工具である。
本発明の請求項３にかかる発明は、請求項１または２において、前記回転筒部を一方向に回転させる部分のカム溝は、この方向の螺旋状に形成され、前記回転筒部を前記一方向とは異なる方向に回転させる部分のカム溝は、この方向の螺旋状に形成されている光コネクタ清掃工具である。
本発明の請求項４にかかる発明は、請求項１〜３のうちいずれか１項において、前記回転筒部を一方向に回転させる部分のカム溝と、前記回転筒部を前記一方向とは異なる方向に回転させる部分のカム溝は、軸周りの形成角度が３６０°未満である光コネクタ清掃工具である。
本発明の請求項５にかかる発明は、請求項１〜４のうちいずれか１項において、前記延出筒体が、筒体基部と、前記筒体基部に対し付勢手段により延出方向に付勢された先端筒部とを有し、前記先端延出部が、前記先端筒部の先端から突出可能であり、前記先端筒部が、前記筒体基部に対し前記延出方向に移動することで前記先端延出部の突出量を調整可能である光コネクタ清掃工具である。
【発明の効果】
【０００６】
本発明によれば、回転筒部のカム溝の一部が、回転筒部を一方向に回転させるように形成され、他の部分が回転筒部を前記方向とは逆の方向に回転させるように形成されているので、これら各部分の軸回り方向の形成角度が小さい場合でも、一度の操作で大きな回転量を確保し、十分な拭き取り清掃が可能となる。
また、前記カム溝の各部分の形成角度が小さくできるため、回転シャフトの各方向の回転角度を小さくできる。このため、送り方向の清掃体と引き取り方向の清掃体とが回転シャフトの内部で絡み合うのを防止できる。よって、清掃体をスムーズに供給でき、確実な清掃作業を行うことができる。
【図面の簡単な説明】
【０００７】
【図１】本発明の光コネクタ清掃工具の一実施形態の斜視図である。
【図２】清掃工具の分解斜視図である。
【図３】支持体を示す斜視図である。
【図４】回転機構の回転シャフトを示す斜視図である。
【図５】ヘッド部材を示す斜視図である。
【図６】回転シャフトおよびその先端に取り付けられたヘッド部材を示す一部断面状態の平面図である。
【図７】回転シャフトおよびその先端に取り付けられたヘッド部材を示す一部断面状態の側面図である。
【図８】送り機構を示す分解斜視図である。
【図９】延出筒体を示す斜視図である。
【図１０】延出筒体を示す分解斜視図である。
【図１１】ヘッド部材の動作を示す説明図である。
【図１２】ヘッド部材の動作を示す説明図である。
【図１３】ヘッド部材の動作を示す説明図である。
【図１４】回転シャフトの動作を示す説明図である。
【図１５】回転機構の他の例を示す模式的に示す図である。
【図１６】回転機構の他の例を示す模式的に示す図である。
【発明を実施するための形態】
【０００８】
以下、本発明を実施した光コネクタ清掃工具（以下、単に「清掃工具」ともいう）を、図面を参照して説明する。
図１は、本発明の光コネクタ清掃工具の一実施形態である清掃工具１の斜視図である。図２は、清掃工具１の分解斜視図である。図３は、支持体５１を示す斜視図である。図４は、回転機構５の回転シャフト５２を示す斜視図である。図５は、ヘッド部材２３を示す斜視図である。図６は、回転シャフト５２およびその先端に取り付けられたヘッド部材２３を示す一部断面状態の平面図である。図７は、回転シャフト５２およびその先端に取り付けられたヘッド部材２３を示す一部断面状態の側面図である。図８は、送り機構３を示す分解斜視図である。図９は、延出筒体２１を示す斜視図である。図１０は、延出筒体２１を示す分解斜視図である。
【０００９】
図１および図２に示すように、清掃工具１は、工具本体１０と、工具本体１０から延出する延出部２０とを有する。
以下の説明において、図１に示す延出部２０の先端方向（延出方向）を前方といい、その反対方向を後方ということがある。
【００１０】
図１および図２に示すように、工具本体１０は、清掃体２の供給および巻き取りを行う送り機構３と、ヘッド部材２３を回転させる回転機構５とがケース体１１内に設けられている。
ケース体１１は、断面略矩形の筒状に形成され、４枚の側板部１１ａのうちひとつの後部には、位置決め凸部５７が挿入される位置決め開口部１２が形成されている。
位置決め開口部１２は、前後方向に沿うスリット状に形成されている。位置決め開口部１２の前部および後部の側縁には、位置決め凸部５７が嵌合する第１および第２嵌合凹部１３、１４が形成されている。
ケース体１１の前端には、延出部２０が挿通する挿通口１１ｂが形成されている。
【００１１】
図２に示すように、回転機構５は、ケース体１１に対し位置決めされた支持体５１と、軸回りに回転可能な回転シャフト５２を備えている。
図３に示すように、支持体５１は、前後方向に沿う長板状の基板５３と、基板５３の前端部の内面５３ａから突出して形成された挿入凸部５４と、基板５３の両側縁部から内面５３ａ側に突出して形成された側板５５と、基板５３の後端縁部から内面５３ａ側に延出して形成された後端板５８とを備えている。
一方の側板５５には鋸歯状のギア受け部５６が形成されている。
ギア受け部５６は、一方の側板部５５に他方の側板５５に向けて突出して形成された複数の受け歯部５６ａからなる。受け歯部５６ａは、支持体５１の長さ方向（前後方向）に配列されている。
後端板５８の前面５８ａには保持凸部５９が形成されている。
【００１２】
挿入凸部５４は、略円筒状に形成され、その突出高さおよび外径は、回転筒部８２のカム溝８５に嵌合可能となるように設定されている。
基板５３の後部には板状の弾性片６５が形成され、弾性片６５の後端部の上面（外面）には位置決め凸部５７が上方（外方）に突出して形成されている（図２および図３参照）。
【００１３】
図４に示すように、回転シャフト５２は、回転筒部８２と、回転筒部８２の前端から前方に延出するガイド筒部８１とを備えている。
回転シャフト５２内には、清掃体２が挿通する挿通孔８３が、ガイド筒部８１の前端から回転筒部８２の後端にわたって形成されている。
ガイド筒部８１は略円筒状に形成され、前端部において挿通孔８３にヘッド部材２３の挿入部９１を挿入できる。ガイド筒部８１の前端部の内面は、平坦に形成された回転止部８４とされている。
【００１４】
回転筒部８２は略円筒状に形成され、その外面には、カム溝８５が軸方向の後端８２ａから前端８２ｂにかけて形成されている。
カム溝８５は、回転筒部８２の軸方向の一端側の部分、すなわち後端８２ａから軸方向中央部までの部分に形成された一端側部分８６と、軸方向の他端側の部分、すなわち軸方向中央部から前端８２ｂまでの部分に形成された他端側部分８７とを有する。
【００１５】
一端側部分８６および他端側部分８７は、それぞれ少なくとも一部が回転筒部８２の軸方向に対し傾斜して形成され、その傾斜方向は互いに逆方向とされている。すなわち、一端側部分８６および他端側部分８７は、互いに異なる方向に形成されている。
本形態例では、一端側部分８６は、前方に向けて右回り方向（時計回り方向）の螺旋状をなすように形成され、他端側部分８７は、前方に向けて左回り方向（反時計回り方向）の螺旋状をなすように形成されている。
【００１６】
一端側部分８６および他端側部分８７の軸周り方向の形成角度は、３６０°未満が好ましい。形成角度をこの範囲にすることによって、回転シャフト５２の各方向の回転量を小さくし、清掃体２が絡まるのを防止できる。図示例の一端側部分８６および他端側部分８７の形成角度は、それぞれ約３／４周回分（約２７０°）とされている。
一端側部分８６および他端側部分８７の軸周り方向の形成角度は、例えば１２０°以上とすることができる。形成角度をこの範囲とすることによって、十分な拭き取り清掃が可能となる。
一端側部分８６と他端側部分８７は、中央部８８で互いに連結されている。
このため、後述するように、回転シャフト５２が前方または後方に移動すると、回転筒部８２が部分８６、８７のうち一方により軸回りに所定方向に回転し、次いで部分８６、８７のうち他方により前記方向とは逆の方向に回転する。
【００１７】
図５〜図７に示すように、ヘッド部材２３は、ガイド筒部８１の挿通孔８３に挿入可能な挿入部９１と、挿入部９１の前端に形成されたフランジ部９２と、フランジ部９２の前面から前方に延出する略円筒状の先端延出部２８とを備えている。
先端延出部２８の先端面は、清掃体２を接合端面６１ａ（図１３参照）に押し当てる押圧面２４となる。
先端延出部２８は可撓性を有し、弾性的に曲げ変形可能である。曲げ方向は限定されず、全方向に曲げ変形可能であることが好ましい。
【００１８】
図５に示すように、押圧面２４には、清掃体２が挿通する開口部であるガイド口部２５Ａ、２５Ｂ（ガイド部）が形成されている。
一方のガイド口部２５Ａは、送り機構３からの清掃体２を押圧面２４に導くものであり、他方のガイド口部２５Ｂは、押圧面２４を通過した清掃体２を送り機構３に導くものである。ガイド口部２５Ａ、２５Ｂによって、清掃体２が押圧面２４から外れるのを防ぐことができる。
【００１９】
先端延出部２８の側面には、清掃体２の送り移動をガイドするガイド溝２６Ａ、２６Ｂを形成するのが好ましい。ガイド溝２６Ａ、２６Ｂはフランジ部９２および挿入部９１の側面にも形成されている。
挿入部９１には、ガイド筒部８１に形成された回転止部８４に即した形状の平坦部９３が形成されており、平坦部９３が回転止部８４に沿って配置されるためヘッド部材２３はガイド筒部８１に対して回転しない。図示例では平坦部９３は挿入部９１の一方および他方の面に形成されている。
【００２０】
挿入部９１の一方の平坦部９３の後部には開口部９３ａが形成され、その後縁には前方に延出する弾性片９３ｂが形成され、弾性片９３ｂの先端には、平坦部９３に対し突出する係合爪９３ｃが形成されている。
図７に示すように、係合爪９３ｃは、ガイド筒部８１に形成された係合開口部８１ａ（係合凹部）の前縁に係止可能であり、係合爪９３ｃが係合開口部８１ａの前縁に係止することでヘッド部材２３の前方移動が規制され、ヘッド部材２３の脱落を防止できる。
【００２１】
図９に示すように、ヘッド部材２３は、先端延出部２８の先端部が先端筒部１６の先端壁部１６ｂの挿通口部１６ｃに挿通可能であり、通常状態で、先端延出部２８の先端部を含む部分が先端から突出することが好ましい。
なお、本発明では、通常状態で先端延出部２８が先端から突出しない構成も可能である。
【００２２】
図２、図６〜図８に示すように、ヘッド部材２３には、供給リール３０から引き出された清掃体２が巻き回されている。
図示例では、清掃体２は、工具本体１０内の供給リール３０から回転シャフト５２の挿通孔８３およびガイド筒部８１の内部を経て、ヘッド部材２３のガイド溝２６Ａ、ガイド口部２５Ａを通って押圧面２４に至る。清掃体２は、さらに、押圧面２４からガイド口部２５Ｂ、ガイド溝２６Ｂを経て、ガイド筒部８１および挿通孔８３の内部を通って巻取リール３１に達している。
【００２３】
清掃体２は、特に限定されるものではなく、公知の適当な清浄布（不織布や織布）を糸状（または紐状）、テープ状などに加工したものを採用することができる。例えば、ポリエステルやナイロンなどの極細の繊維で構成されたものが例示できる。
【００２４】
図６および図７における符号９４は、ガイド筒部８１の前端とフランジ部９２との間に設けられた付勢手段（例えばコイルスプリング）である。付勢手段９４は、ヘッド部材２３を接合端面６１ａに押し当てたときにヘッド部材２３を前方に付勢する。
【００２５】
図８に示すように、送り機構３は、清掃体２を巻装した供給リール３０と、使用後の清掃体２を巻き取って回収する巻取リール３１と、これらが回転可能に装着される支持部３５と、巻取リール３１に装着されるギア３８と、支持部３５に形成された保持筒部３９と、保持筒部３９に装着された付勢手段４０（例えばコイルスプリング）と、押さえ部３４とを備えている。
【００２６】
支持部３５は、基板４１と、基板４１の内面４１ａに設けられて供給リール３０が回転可能に装着される供給リール支持軸３２と、巻取リール３１が回転可能に装着される巻取リール支持軸３３と、基板４１の長さ方向中間部に形成された仕切板４２と、基板４１の後端部に形成された後端板４３と、基板４１の側縁部に形成された側板４４とを備えている。
【００２７】
基板４１には、リール３０、３１の径方向に対し垂直に延出する２つの延出板４５、４５が形成され、延出板４５、４５の先端には、それぞれリール３０、３１に向けて突出する係止爪４５ａ、４５ａが形成されている。延出板４５は弾性的に曲げ変形可能であり、係止爪４５ａはリール３０、３１に対し接近および離間する方向に移動可能である。
基板４１の前端には、先端筒部１６および外筒体１８が嵌合する切欠４１ｂが形成されている。
【００２８】
押さえ部３４は、リール３０、３１およびギア３８の脱落を防ぐためのもので、前後方向に延出する長板状の本体部３４ａの前端および後端に、リール支持軸３２、３３に嵌合可能な嵌合部３４ｂ、３４ｃが形成されている。
【００２９】
仕切板４２には、清掃体２が通過する通過凹部４２ａが形成されている。
供給リール３０および巻取リール３１は、清掃体２が巻き付けられる胴部４７と、胴部４７の一端に設けられた第１端板４８と、胴部４７の他端に設けられた第２端板４９とを備えている。
第１端板４８の外面には、周方向に沿って配列された複数の係止凹部（図示略）が形成されており、延出板４５の係止爪４５ａが前記係止凹部に係合することにより、リール３０、３１の逆方向回転が阻止される。第２端板４９の外面には、周方向に沿って配列された複数の係止凸部４９ａが形成されている。
リール３０、３１は、胴部４７に支持軸３２、３３を挿通させることによって支持部３５に装着される。
【００３０】
ギア３８は、円板状の基板８７と、基板８７の一方の面に形成された歯車部８８とを有する。基板８７の他方の面には、巻取リール３１の係止凸部４９ａに係止する係止突起８７ａが形成されている。
歯車部８８は、周方向に沿って配列された複数の歯部８８ａを有し、これら歯部８８ａは、支持体５１のギア受け部５６の受け歯部５６ａに噛み合うように形成されている。
ギア３８は、巻取リール３１の第２端板４９に重ねて設置される。基板８７の係止突起８７ａは第２端板４９の係止凸部４９ａに係止するため、ギア３８の回転に従って巻取リール３１も回転する。
係止突起８７ａは、ギア３８が巻き取り方向とは逆の方向に回転する場合には、係止凸部４９ａには係止しないように形成されている。
【００３１】
図９〜図１１に示すように、延出部２０は、延出筒体２１と、延出筒体２１に挿通するヘッド部材２３とを備えている。
延出筒体２１は、筒体基部１５と、その先端側に設けられた先端筒部１６と、先端筒部１６を前方に付勢する付勢手段１７と、外筒体１８とを備えている。
筒体基部１５は、保持枠部９７と、保持枠部９７の前端から前方に延出する円筒状の接続筒部９６とを備えている。
保持枠部９７は、断面矩形の筒状に形成され、その内部に回転シャフト５２の回転筒部８２を収容できる。
保持枠部９７を構成する４つの側板９９のうちひとつである側板９９ａには、前後方向に沿って、支持体５１の挿入凸部５４が挿入されるスリット１００が形成されている。
【００３２】
接続筒部９６は、回転シャフト５２のガイド筒部８１が挿通可能な略円筒状とされている。
接続筒部９６の外面には、外筒体１８に形成された係止開口部１８ａに嵌合する嵌合爪９６ａが形成されている。
接続筒部９６の内面には、付勢手段１７の後端が当接する段部９６ｂが形成されている（図１１および図１２参照）。
【００３３】
図９および図１０に示すように、先端筒部１６は、筒状壁部１６ａと、その前端に設けられた先端壁部１６ｂを備えている。
先端壁部１６ｂには、ヘッド部材２３の先端延出部２８が挿通する挿通口部１６ｃが形成されている。
先端筒部１６の後端部には、付勢手段１７に挿入される後端筒部１６ｄが後方に突出して形成され、これによって付勢手段１７に対し位置決めされている（図１１参照）。
先端筒部１６は、延出方向（先端方向）およびその反対方向に移動可能である。
【００３４】
付勢手段１７は、コイルスプリングなどのバネ部材が好適である。付勢手段１７の後部は接続筒部９６に挿入され、後端部が段部９６ｂに当接可能であり、前端部は先端筒部１６の後端部に当接可能である（図１１、図１２参照）。
【００３５】
外筒体１８は略円筒状に形成され、接続筒部９６および先端筒部１６が挿通可能とされている。
図１１に示すように、外筒体１８の前端部には、内方に突出する凸部であるストッパ部１８ｂが形成されている。ストッパ部１８ｂは、先端筒部１６の段部１６ｅに当接し、先端筒部１６の前方移動を規制できる。図示例のストッパ部１８ｂは環状に形成された凸部である。
【００３６】
図９および図１０に示すように、筒体基部１５は、保持枠部９７と、保持枠部９７の前端から前方に延出する円筒状の接続筒部９６とを備えている。
接続筒部９６の外面には、外筒体１８に形成された係止開口部１８ａに嵌合する嵌合爪９６ａが形成されている。
【００３７】
図２において、符号１０２はガイド部材であり、ガイド部材１０２は、延出部２０の先端筒部１６の先端部に装着される本体部１０３と、本体部１０３に連結体１０５によって連結された蓋１０４とを有する。本体部１０３は、延出部２０の先端筒部１６の先端部に着脱自在に装着される装着部１０６と、装着部１０６の前端から延出する筒状のガイド体１０７とを備えている。ガイド部材１０２は、本体部１０３の装着部１０６の後端に接続された保持紐部１２１を介してケース体１１に連結されている。
【００３８】
次に、清掃工具１を用いて清掃作業を行う方法の一例を説明する。
図１３は、清掃対象となる光コネクタ（光コネクタアダプタなど）のフェルール６１を示すもので、フェルール６１の接合端面６１ａの中央部には、光ファイバ穴６１ｂ（微細孔）が開口している。光ファイバ穴６１ｂには、光ファイバ６３が挿通しており、光ファイバ６３の先端は接合端面６１ａに露出している。
光ファイバ６３は、例えば光ファイバ心線の先端部の被覆樹脂を除去した光ファイバ裸線である。
【００３９】
図１１に示す状態では、延出筒体２１は比較的前方に位置している。このため、先端延出部２８は先端部分を含むごく短い部分のみが露出している。
図１２および図１３に示すように、延出部２０を清掃対象の光コネクタに挿入し、ケース体１１を前方に移動させると、先端筒部１６が前記光コネクタの内壁面（図示略）に当接し、この内壁面から反力を受け、延出筒体２１はケース体１１に対して相対的に後方に移動する。この際、先端筒部１６が相対的に接続筒部９６に近づく方向に移動し、先端延出部２８は先端筒部１６から長く突出する。
押圧面２４上の清掃体２は、清掃対象の光コネクタのフェルール６１の接合端面６１ａの適切な位置（ここでは、光ファイバ穴６１ｂとその周辺）に当接する。
【００４０】
図１４に示すように、延出筒体２１がケース体１１に対して相対的に後方に移動するため、延出筒体２１に押されて回転シャフト５２が支持体５１に対して相対的に後方に移動する。
このため、回転筒部８２はカム溝８５に沿って周方向に移動し、回転シャフト５２は軸回りに回転する。
【００４１】
以下、回転シャフト５２が回転する過程を詳しく説明する。
図１４（ａ）に示す状態では、延出筒体２１および回転シャフト５２は比較的前方にあり、挿入凸部５４はカム溝８５の一端側部分８６に挿入されている。この状態で回転シャフト５２が後方移動すると、回転筒部８２が一端側部分８６に沿って移動することにより回転シャフト５２は左回り方向（後方から見て左回り方向）に回転する。
図１４（ｂ）および図１４（ｃ）に示すように、挿入凸部５４がカム溝８５の中央部８８を経て他端側部分８７に至ると、回転筒部８２が他端側部分８７に沿って移動することにより回転シャフト５２は右回り方向に回転する。
すなわち、回転シャフト５２は、後方から見て左回り方向に回転した後、その回転方向を変え、右回り方向に回転する。
【００４２】
図１３に示すように、回転シャフト５２の回転によって、ヘッド部材２３が軸回りに回転するため、清掃体２は接合端面６１ａに当接した状態のままヘッド部材２３の軸回りに回転し、接合端面６１ａが拭き取り清掃される。
上述のように、カム溝８５は、回転シャフト５２が一方向に回転し、次いで逆方向に回転するように形成されているため、一端側部分８６および他端側部分８７の形成角度が小さい場合でも、十分な回転量を確保できる。
図示例では、一端側部分８６および他端側部分８７の形成角度はそれぞれ約３／４周回分であるが、回転シャフト５２は左回り方向に約３／４周、次いで右回り方向に約３／４周、回転するため、合計約１．５周分、回転することになる。
十分な回転量を確保できるため、接合端面６１ａに対する十分な拭き取り清掃が可能となる。
【００４３】
カム溝８５の一端側部分８６および他端側部分８７の形成角度が小さいため、回転シャフト５２の各方向の回転角度も小さいことから、送り機構３からヘッド部材２３に向かう清掃体２と、ヘッド部材２３から送り機構３に向かう清掃体２とが、ガイド筒部８１や挿通孔８３の内部で絡み合うのを防止できる。
【００４４】
図２、図３および図８に示すように、支持体５１が送り機構３に対し相対的に移動するため、ギア受け部５６によって、ギア３８の歯車部８８に回転方向の力が与えられる。
ギア３８の回転によって、巻取リール３１も回転するため、清掃体２が引き取られる。
これに伴って、清掃体２が供給リール３０から引き出され、ヘッド部材２３の押圧面２４を通って送り移動される。
清掃体２の送り移動によって、接合端面６１ａに付着しているゴミや埃、油分などの汚れが確実に拭き取られる。
【００４５】
延出部２０を光コネクタから引き抜く際には、延出部２０は、付勢手段４０の弾性力によってケース体１１に対して相対的に前方に移動する。この際、付勢手段１７の弾性力により先端筒部１６は前方位置に戻る（図１１参照）。
回転シャフト５２が相対的に前方移動する過程においても、挿入凸部５４が他端側部分８７を経て一端側部分８６に沿って移動することによって、回転シャフト５２は、後方から見て右回り方向、次いで左回り方向に回転し、この過程で清掃体２により接合端面６１ａの拭き取り清掃が行われる。
【００４６】
上述のように、清掃工具１では、カム溝８５の一端側部分８６が回転筒部８２を一方向に回転させるように形成され、他端側部分８７が回転筒部８２を一方向とは逆の方向に回転させるように形成されているので、一端側部分８６および他端側部分８７の形成角度が小さい場合でも、一度の操作で十分な回転量を確保し、接合端面６１ａに対する十分な拭き取り清掃が可能となる。
また、カム溝８５の一端側部分８６および他端側部分８７の軸回り方向の形成角度を小さくできるため、回転シャフト５２の各方向の回転角度も小さくできる。
このため、送り機構３からヘッド部材２３に向かう清掃体２と、ヘッド部材２３から送り機構３に向かう清掃体２とが、ガイド筒部８１や挿通孔８３の内部で絡み合うのを防止できる。よって、清掃体２をスムーズに供給でき、確実な清掃作業を行うことができる。
さらに、回転シャフト５２の回転量を確保できるため、送り機構３からの清掃体２の供給量が少ない場合でも十分な清掃が可能となる。このため、清掃体２の効率的な利用が可能となる。
【００４７】
図１５および図１６は、回転シャフトの他の例を示すものである。以下の説明では、既出の構成については同じ符号を付してその説明を省略する。
図１５に示す回転シャフト１２２は、回転筒部１２３と、回転筒部１２３に連動するガイド筒部１２４とを備えており、ガイド筒部１２４の先端部１２４ａにはヘッド部材２３が装着される。
回転筒部１２３は、円筒状の本体部１２５と、その軸方向の一端部に形成された傘歯車部１２６と備えている。傘歯車部１２６は、側面に歯部１２６ａが形成された円錐台状とされている。
ガイド筒部１２４は、本体部１２７と、その基端部に形成された傘歯車部１２８とを有する。傘歯車部１２８は、傘歯車部１２６の歯部１２６ａに噛み合う歯部１２８ａを有する円錐台状とされている。
【００４８】
回転筒部１２３の本体部１２５は、回転筒部８２と同じ構成とすることができる。すなわち、一端側部分８６と他端側部分８７とからなるカム溝８５を外面に形成することができる。
支持体５１が相対的に前方または後方（図１５における上下方向）に移動すると、支持体５１の挿入凸部５４がカム溝８５に沿って移動することによって、回転筒部１２３は軸回りに所定方向に回転し、次いで前記方向とは逆の方向に回転する。
傘歯車部１２６と傘歯車部１２８との嵌合により、回転筒部１２３の回転力はガイド筒部１２４に伝えられ、ヘッド部材２３を軸周りに回転させる。
【００４９】
図１６に示す回転シャフト１３２は、回転筒部１３３と、回転筒部１３３に連結されたガイド筒部１２４とを備えており、ガイド筒部１２４の先端部１２４ａにはヘッド部２３が装着される。
回転筒部１３３は、円筒状の筒部本体１３４と、筒部本体１３４の一方の開口端に設けられた端板部１３５とを有する。
筒部本体１３４は、内面に、一方向の螺旋状をなす一端側部分１３６と、それとは逆方向の螺旋状をなす他端側部分１３７とからなるカム溝１３８を形成することができる。
支持体５１が相対的に前方または後方（図１６における左右方向）に移動すると、支持体５１の挿入凸部５４がカム溝１３８に沿って移動することによって、回転筒部１３３は軸回りに所定方向に回転し、次いで前記方向とは逆の方向に回転する。回転筒部１３３の回転力はガイド筒部１２４に伝えられ、ヘッド部材２３を軸周りに回転させる。
【００５０】
図４等に示す回転筒部８２のカム溝８５は、後端８２ａから軸方向中央部までの部分に形成された螺旋状の一端側部分８６と、軸方向中央部から前端８２ｂまでの部分に形成された螺旋状の他端側部分８７とを有するが、カム溝の形状はこれに限らず、一部が回転筒部を一方向に回転させることができ、かつ他の部分のうち少なくとも一部が、回転筒部を前記一方向とは異なる方向に回転させるように形成されていればよい。
本発明の清掃工具の対象は光コネクタアダプタ、光コネクタレセプタクル（詳細には、レセプタクルハウジング）等を対象とすることができる。
【符号の説明】
【００５１】
１・・・光コネクタ清掃工具、２・・・清掃体、３・・・送り機構、５・・・回転機構、１０・・・工具本体、１１・・・ケース体、１５・・・筒体基部、１６・・・先端筒部、１７・・・付勢手段、２０・・・延出部、２１・・・延出筒体、２３・・・ヘッド部材、２８・・・先端延出部、５１・・・支持体、５２・・・回転シャフト、６１・・・フェルール、６１ａ・・・接合端面、８２、１２３、１３３・・・回転筒部、８５、１３８・・・カム溝、８６、１３６・・・一端側部分、８７、１３７・・・他端側部分。
【図１】
2011150083.tif 000003
【図２】
2011150083.tif 000004
【図３】
2011150083.tif 000005
【図４】
2011150083.tif 000006
【図５】
2011150083.tif 000007
【図６】
2011150083.tif 000008
【図７】
2011150083.tif 000009
【図８】
2011150083.tif 000010
【図９】
2011150083.tif 000011
【図１０】
2011150083.tif 000012
【図１１】
2011150083.tif 000013
【図１２】
2011150083.tif 000014
【図１３】
2011150083.tif 000015
【図１４】
2011150083.tif 000016
【図１５】
2011150083.tif 000017
【図１６】
2011150083.tif 000018